(57)【要約】  【課題】  ユーザからの操作状況に応じて、適切に低消費電力状態を設定することが可能な電源供給装置を提供する。  【解決手段】  各制御部に電源を供給するレディーモードから、所定のジョブを実行する画像形成制御部３Ａへの電源供給を停止し、操作制御部４Ａによる表示をオフするスリープモードに切替えるスリープモード切替手段３０と、スリープモード時に外部機器からジョブリクエストを受信したときに、画像形成制御部３Ａへ電源を供給するスリープ動作モードに切替え、リクエストされたジョブが終了するとスリープモードに戻るスリープ動作モード切替手段３１と、スリープ動作モード時に操作制御部４Ａからの入力操作を検出する入力操作検出手段３２を備え、スリープ動作モード切替手段３１がスリープ動作モード時に入力操作検出手段３２により入力操作を検出したときに、レディーモードに切替える。  【選択図】  図１
2007025877.tif 000002
【特許請求の範囲】
【請求項１】
各機能に対応した複数の制御部と、前記各制御部の動作状態に基づいて所定の制御部への電源供給を制御する電源供給制御手段を備え、
前記電源供給制御手段が、所定条件を具備するときに、前記各制御部に電源が供給されているレディーモードから、少なくとも所定のジョブを実行するジョブ実行制御部への電源供給を停止するとともに、所定情報を表示し入力操作を受け付ける操作制御部による表示をオフするスリープモードに切り替えるスリープモード切替手段と、前記スリープモード時に、ネットワーク接続された外部機器からジョブリクエストを受信したときに、前記ジョブ実行制御部への電源が供給されるスリープ動作モードに切り替えるとともに、前記スリープ動作モード時にリクエストされたジョブが終了すると前記スリープモードに戻るスリープ動作モード切替手段とを備えている電源供給装置であって、
前記スリープ動作モード時に、前記操作制御部からの入力操作を検出する入力操作検出手段を備え、
前記スリープ動作モード切替手段は、前記スリープ動作モード時に、前記入力操作検出手段により入力操作が検出されたときに、前記レディーモードに切り替える電源供給装置。
【請求項２】
前記スリープ動作モード時に前記操作制御部による表示をオンする表示切替手段を備え、前記スリープ動作モード切替手段は、前記表示切替手段により表示をオンするように切り替えられているときに、前記レディーモードに切り替える請求項１記載の電源供給装置。
【発明の詳細な説明】
【技術分野】
【０００１】
本発明は、各機能に対応した複数の制御部と、前記各制御部の動作状態に基づいて所定の制御部への電源供給を制御する電源供給制御手段を備え、前記電源供給制御手段が、所定条件を具備するときに、前記各制御部に電源が供給されているレディーモードから、少なくとも所定のジョブを実行するジョブ実行制御部への電源供給を停止するとともに、所定情報を表示し入力操作を受け付ける操作制御部による表示をオフするスリープモードに切り替えるスリープモード切替手段と、前記スリープモード時に、ネットワーク接続された外部機器からジョブリクエストを受信したときに、前記ジョブ実行制御部への電源が供給されるスリープ動作モードに切り替えるとともに、前記スリープ動作モード時にリクエストされたジョブが終了すると前記スリープモードに戻るスリープ動作モード切替手段とを備えている電源供給装置に関する。
【背景技術】
【０００２】
近年、複写機などの画像形成装置は、ローカルユーザインターフェース（ローカルＵＩ）とリモートユーザインターフェース（以下、単に「リモートＵＩ」と記す）を備えることにより、画像処理装置本体からの操作はもとより、情報処理装置（外部機器）からのリモート操作により画像出力等を行なうことが可能となっている。
【０００３】
また、前記画像形成装置は、その消費電力を削減するために、一定時間操作制御部の操作が行なわれなかったとき等に、各制御部に電源が供給されているレディーモードから、スリープモード切替手段により所定の制御部への電源供給を停止したスリープモードに切り替えるものが提案されている。電源の供給が停止される主な制御部は、所定のジョブを実行するジョブ実行制御部であり、また、所定情報を表示し入力操作を受け付ける操作制御部における所定情報の表示等もオフされる。更に、前記画像形成装置は、スリープモード時にネットワーク接続された外部機器からジョブリクエストを受信すると、スリープ動作モード切替手段により前記ジョブ実行制御部への電源を供給するスリープ動作モードに切り替えるとともに、前記スリープ動作モード時にリクエストされたジョブが終了すると前記スリープモードに切り替えるように構成されている。
【特許文献１】特開２００１−２７４９２８号公報
【発明の開示】
【発明が解決しようとする課題】
【０００４】
しかし、上述の従来技術では、スリープ動作モード時に、ジョブリクエストを入力すべく操作制御部を介した操作を行なっても、スリープ動作モードが解除されることがなく、ネットワーク接続された外部機器からのジョブリクエストが終了するとともに、スリープモードに切り替わってしまい、前記操作制御部を介して入力したジョブリクエストが消失してしまうという問題があった。
【０００５】
本発明は、上述の従来欠点に鑑み、ユーザからの操作状況に応じて、適切に低消費電力状態を設定することが可能な電源供給装置を提供する点にある。
【課題を解決するための手段】
【０００６】
上述の目的を達成するため、本発明による電源供給装置の第一の特徴構成は、特許請求の範囲の書類の請求項１に記載した通り、各機能に対応した複数の制御部と、前記各制御部の動作状態に基づいて所定の制御部への電源供給を制御する電源供給制御手段を備え、前記電源供給制御手段が、所定条件を具備するときに、前記各制御部に電源が供給されているレディーモードから、少なくとも所定のジョブを実行するジョブ実行制御部への電源供給を停止するとともに、所定情報を表示し入力操作を受け付ける操作制御部による表示をオフするスリープモードに切り替えるスリープモード切替手段と、前記スリープモード時に、ネットワーク接続された外部機器からジョブリクエストを受信したときに、前記ジョブ実行制御部への電源が供給されるスリープ動作モードに切り替えるとともに、前記スリープ動作モード時にリクエストされたジョブが終了すると前記スリープモードに戻るスリープ動作モード切替手段とを備えている電源供給装置であって、前記スリープ動作モード時に、前記操作制御部からの入力操作を検出する入力操作検出手段を備え、前記スリープ動作モード切替手段は、前記スリープ動作モード時に、前記入力操作検出手段により入力操作が検出されたときに、前記レディーモードに切り替える点にある。
【０００７】
上述の構成によれば、前記スリープ動作モード切替手段が、スリープモード時に、ネットワーク接続された外部機器からジョブリクエストを受信したときに、前記ジョブ実行制御部への電源が供給されるスリープ動作モードに切り替えるとともに、前記スリープ動作モード時にリクエストされたジョブが終了すると前記スリープモードに戻すため、消費電力を削減することができるのである。また、前記スリープ動作モード切替手段が、前記スリープ動作モード時に、前記入力操作検出手段により入力操作が検出されたときに、前記レディーモードに切り替えるため、前記スリープ動作モード時に、ユーザが前記操作制御部を介して入力したジョブリクエストは消失することがなく、前記ジョブリクエストに対しても、前記ジョブ実行制御部により所定のジョブを実行させることができるのである。つまり、ユーザからの操作状況に応じて、適切に低消費電力状態を設定する電源供給装置とすることができるのである。
【０００８】
同第二の特徴構成は、同請求項２に記載した通り、上述の第一特徴構成に加えて、前記スリープ動作モード時に前記操作制御部による表示をオンする表示切替手段を備え、前記スリープ動作モード切替手段は、前記表示切替手段により表示をオンするように切り替えられているときに、前記レディーモードに切り替える点にある。
【０００９】
上述の構成とすることにより、例えば、表示切替手段により、予め、前記スリープ動作モード時に前記操作制御部による表示をオンにするかオフにするかを設定しておくことが可能となるのである。また、スリープ動作モード時に、外部機器からのリクエストされたジョブが終了したときに、スリープモードに切り替えるか、レディーモードに切り替えるかを設定しておくことが可能となるのである。つまり、使用状況により、適宜、低消費電力状態にするか、更に、それよりも低い低消費電力状態にするかを設定することが可能となるのである。
【発明の効果】
【００１０】
以上説明した通り、本発明によれば、ユーザからの操作状況に応じて、適切に低消費電力状態を設定することが可能な電源供給装置を提供することができるようになった。
【発明を実施するための最良の形態】
【００１１】
以下、本発明による電源供給装置をデジタル複写機１に適用した場合の実施形態について説明する。図２に示すように、前記デジタル複写機１は、リモートＵＩを備える情報処理装置８（外部機器）とＬＡＮ９などのネットワーク伝送手段によって接続され、前記ＬＡＮ９を介して前記情報処理装置８から前記デジタル複写機１へジョブリクエストを送信することが可能なように構成されている。
【００１２】
前記デジタル複写機１は、図３に示すように、原稿の画像データを読み取る画像読取部１と、前記画像読取部１により読み取られた原稿画像データに所定の処理を施して出力画像データを生成する出力画像データ生成部２と、前記出力画像データ生成部２からの出力画像データに基づいて出力用紙である記録紙１０に画像を形成して出力する画像形成部３と、複写機の各種ジョブの動作モードを設定するモード設定キーや設定されたジョブを起動するプリントスイッチなどが配置され、前記モード設定キーによる設定情報などが表示されるタッチパネル式の液晶表示部を備えた操作パネル部４を備えて構成されている。
【００１３】
前記画像読取部１は、原稿が載置される原稿トレイ１２と、前記原稿トレイ１２に載置された原稿を給紙する原稿給紙部（図示せず）と、前記原稿給紙部により給紙された原稿の画像を読み取るＣＣＤリニアセンサ（図示せず）とを備えて構成されている。
【００１４】
前記画像形成部３は、前記出力画像データに基づいて感光体６０にトナー画像を形成するトナー画像形成部６と、前記形成されたトナー画像が転写される記録紙１０を搬送する搬送部７と、前記転写された記録紙１０上のトナー像を内部に挿入設置された加熱ヒータ（不図示）と温度センサ（付図示）により所定温度に加熱された定着ローラ８ａにより加熱溶融して定着する定着部８とを備えて構成されている。
【００１５】
前記トナー画像形成部６は、前記感光体６０と、前記感光体６０の周囲に順に配置され、表面を均一にコロナ帯電する帯電チャージャー６１と、帯電された前記感光体６０を露光して静電潜像を形成するプリントヘッド６２と、前記形成された静電潜像にトナーを静電付着させてトナー像を顕像化する現像部６３と、前記トナー像を記録紙１０に転写する転写部と、転写後に前記感光体６０に残存するトナーを除去するクリーニング部６４と、前記感光体６０表面の残留電位を落して均一にする除電ランプ６５とを備えて構成されている。尚、前記現像部６３には、カラー画像を生成可能とするため、シアン、マゼンダ、イエロー、ブラックの４色の現像ブロックが配置されている。
【００１６】
前記搬送部７は、夫々サイズの異なる記録紙１０が収容された一般給紙カセット１１ａ或いは任意に異なるサイズの記録紙１０が設置される手差しカセット１１ｂから前記記録紙１０を１枚ずつ搬送する給紙搬送部７ａと、前記給紙された記録紙１０を前記転写部に搬送し、トナー像が転写された前記記録紙１０を前記定着部８に向けて搬送する転写搬送部７ｂと、前記定着部８を通過した前記記録紙１０をフェースアップで排紙トレイ９に排紙する第一排紙部７ｃと、フェイスダウン方式で排出する第二排紙部７ｄと、前記第二排紙部７ｄを経由して前記画像読取部１に搬送する第三排紙部７ｅと、両面プリント用の再搬送部７ｆとを備えて構成され、夫々には搬送用のローラが設けられている。
【００１７】
前記操作パネル部４は、前記画像読取部１の手前側に配置され、図４に示すように、左側に画像表示部としてのタッチパネル式のカラー液晶表示部２６を備え、また右側に種々の操作入力キー群２４を備えている。前記操作入力キー群２４は、例えば、コピー枚数などを設定する数値入力キー２１、スタートキー２２、クリア／ストップキー２３、カーソルキー２９、リセットキー１９等の複写動作の基本制御キー群と、特殊モード設定キー群２５等により構成されている。
【００１８】
本発明の電源供給装置ともなる、上述したデジタル複写機１の制御部は、図５に示すように、前記画像読取部１による原稿の読取動作を制御する画像読取制御部１Ａと、前記出力画像データ生成部２と、前記画像形成部３を制御する画像形成制御部３Ａと、前記操作パネル部４の入出力信号を制御する操作制御部４Ａと、上述の各制御ブロック、つまり、前記画像読取制御部１Ａと前記出力画像データ生成部２と前記画像形成制御部３Ａと前記操作制御部４Ａとのタイミングを制御して複写動作などの実行を管理するシステム制御部５とを備えて構成され、前記各制御ブロック、つまり、前記画像読取制御部１Ａと前記出力画像データ生成部２と前記画像形成制御部３Ａと前記操作制御部４Ａと前記システム制御部５には、夫々ＣＰＵ及びＣＰＵによる動作プログラムが格納されたＲＯＭなどが設けられている。
【００１９】
前記画像読取制御部１Ａは、原稿給紙部１０１を駆動して前記原稿トレイ１２に載置された原稿を給紙するとともに、ＣＣＤリニアセンサ１０２により読み取られた原稿画像に対応するアナログ信号をＡ／Ｄ変換手段１０３によりデジタルデータに変換して得られた画像データを、所定の変換テーブルが設けられた入力画像処理手段１０４によりシェーディング補正し、γ補正するように構成されている。
【００２０】
前記出力画像データ生成部２は、前記入力画像処理手段１０４から出力された画像データに対して空間フィルタ処理、中間調処理、拡縮処理等の画像データ変換処理を行なう画像変換部２１と、前記画像変換部２１からの出力画像データを前記プリントヘッド６２に対する駆動信号に変換するデータ変換手段２２とを備えて構成され、前記変換された駆動信号が前記プリントヘッド６２の駆動回路に出力されるように構成されている。
【００２１】
上述のデジタル複写機１では、前記原稿トレイ１２に原稿を載置し、前記操作パネル部４に複写枚数、出力用紙サイズ、複写倍率などのモード設定キーを適切に設定操作した後にプリントスイッチを押圧操作することにより、または、前記情報処理装置８から当該デジタル複写機１へ送信されたジョブリクエストを受信することにより、複写動作が開始される。即ち、前記システム制御部５は、前記画像読取制御部１Ａに原稿画像の読取りコマンドを出力して、前記画像処理部２に読取られた画像データに基づいた出力画像の生成コマンドを出力し、前記画像出力制御部３Ａに画像出力コマンドを出力する。前記画像出力制御部３Ａは、前記搬送部７を駆動して前記一般給紙カセット１１ａ或いは前記手差しカセット１１ｂから記録紙１０を搬送させた後に、所定のタイミングで前記画像出力制御部３Ａに画像データ出力コマンドを出力して前記プリントヘッド６２を駆動する。前記プリントヘッド６２により露光された前記感光体６０にトナー画像が形成されると、前記トナー像が前記記録紙１０に転写され、前記定着部８で定着処理された後に前記複写機外に排出される構成となっている。
【００２２】
また、前記システム制御部５は、上述の各制御ブロックの動作状態に基づいて所定の制御ブロックへの電源供給を制御する電源供給制御手段５としても構成されている。
【００２３】
前記電源供給制御手段５としての前記システム制御部５における前記制御ブロックへの電源供給制御にかかる機能ブロック構成は、図１に示すように、所定条件を具備するときに前記各制御ブロックに電源が供給されているレディーモードから、少なくとも、所定のジョブを実行するジョブ実行制御部としての前記画像出力制御部３Ａへの電源供給を停止するとともに、所定情報を表示し入力操作を受け付ける前記操作制御部４Ａによる表示をオフするスリープモードに切り替えるスリープモード切替手段３０と、前記スリープモード時に、前記ＬＡＮ９によりネットワーク接続された前記情報処理装置８からジョブリクエストを受信したときに、前記画像出力制御部３Ａへの電源が供給されるスリープ動作モードに切り替えるとともに、前記スリープ動作モード時にリクエストされたジョブが終了すると前記スリープモードに戻るスリープ動作モード切替手段３１と、少なくとも前記スリープ動作モード時に、前記操作制御部からの入力操作を検出する入力操作検出手段３２を備えて構成されている。
【００２４】
前記スリープモード切替手段３０は、当該デジタル複写機１の消費電力を削減するために、所定条件を具備するときに、前記各制御ブロックに電源が供給されているレディーモードから、所定の制御ブロックへの電源供給を停止したスリープモードに切り替えるもので、例えば、前記特殊モード設定キー群２５に、節電キー２５ａが設けられていたときには、前記節電キー２５ａの操作により、または、前記操作パネル部４からの前記操作制御部４Ａを介した入力操作が前記入力操作検出手段３２により所定時間Ｔｔｈを超えても検出されなかったときに、前記画像出力制御部３Ａへの電源供給を停止するとともに、前記操作制御部４Ａによる前記カラー液晶表示部２０への所定情報の表示をオフするスリープモードに切り替えるように構成されている。
【００２５】
尚、前記所定時間Ｔｔｈの超過検出は、一定の周波数でクロック信号を発信する内部クロックと、前記クロック信号をカウントする内部カウンタを備え、また、前記操作パネル部４からの前記操作制御部４Ａを介した入力操作の検出が行なわれる度に、前記内部カウンタのカウント値をリセットすることで、その後の前記内部カウンタのカウント値と予め設定されている前記所定時間Ｔｔｈに基づいて検出することができる。
【００２６】
前記スリープ動作モード切替手段３１は、前記スリープモード時に、前記ＬＡＮ９によりネットワーク接続された前記情報処理装置８からジョブリクエストを受信したときにおいても、可能な限り当該デジタル複写機１の消費電力を削減するために、前記操作制御部４Ａによる前記カラー液晶表示部２０への所定情報の表示をオフにしたまま、前記画像出力制御部３Ａへの電源を供給するスリープ動作モードに切り替えるとともに、前記スリープ動作モード時にリクエストされたジョブが終了すると前記スリープモードに戻すように構成されている。
【００２７】
また、前記スリープ動作モード切替手段３１は、前記入力操作検出手段３２により前記操作パネル部４からの前記操作制御部４Ａを介した入力操作が検出されると、前記各制御ブロックへの電源を供給することで前記レディーモードに切り替えるように構成されている。
【００２８】
以下、前記電源供給制御手段５における前記制御ブロックへの電源供給制御にかかる動作について図６のフローチャートに基づいて説明する。前記デジタル複写機１のメイン電源がオンにされると、前記電源供給制御手段５は、前記各制御ブロックへ電源を供給する。つまり、当該デジタル複写機１の前記各制御ブロックに電源が供給されているレディーモードになる（ＳＡ１）。
【００２９】
前記スリープモード切り替え手段３０は、前記節電キー２５ａが操作されることにより（ＳＡ２）、または、前記操作パネル部４からの前記操作制御部４Ａを介した入力操作が前記入力操作検出手段３２により所定時間Ｔｔｈを超えても検出されなかったとき（ＳＡ３）、前記画像出力制御部３Ａへの電源供給を停止するとともに、前記操作制御部４Ａによる前記カラー液晶表示部２０への所定情報の表示をオフするスリープモードに切り替える（ＳＡ４）。
【００３０】
前記スリープモード時に、前記ＬＡＮ９によりネットワーク接続された前記情報処理装置８からジョブリクエストを受信すると（ＳＡ５）、前記スリープ動作モード切替手段３１は、前記操作制御部４Ａによる前記カラー液晶表示部２０への所定情報の表示をオフにしたまま、前記画像出力制御部３Ａへの電源を供給するスリープ動作モードに切り替える（ＳＡ６）。
【００３１】
また、前記スリープモード時に、前記入力操作検出手段３２により前記操作パネル部４からの前記操作制御部４Ａを介した入力操作が検出されると（ＳＡ７）、前記スリープモード切り替え手段３０は、前記各制御ブロックへの電源を供給することで前記レディーモードに切り替える（ＳＡ３）
一方、前記スリープ動作モード時に、前記情報処理装置８によりリクエストされたジョブが終了すると（ＳＡ８）、前記スリープ動作モード切替手段３１は、前記画像出力制御部３Ａへの電源供給を停止することで前記スリープモードに戻す（ＳＡ４）。
【００３２】
また、前記スリープ動作モード時に、前記入力操作検出手段３２により前記操作パネル部４からの前記操作制御部４Ａを介した入力操作が検出されると（ＳＡ９）、前記スリープ動作モード切替手段３１は、前記各制御ブロックへの電源を供給することで前記レディーモードに切り替える（ＳＡ３）。
【００３３】
つまり、前記スリープ動作モード切替手段が、スリープモード時に、ネットワーク接続された外部機器からジョブリクエストを受信したときに、前記ジョブ実行制御部への電源が供給されるスリープ動作モードに切り替えるとともに、前記スリープ動作モード時にリクエストされたジョブが終了すると前記スリープモードに戻すため、消費電力を削減することができる。また、前記スリープ動作モード切替手段が、前記スリープ動作モード時に、前記入力操作検出手段により入力操作が検出されたときに、前記レディーモードに切り替えるため、前記スリープ動作モード時に、ユーザが前記操作制御部を介して入力したジョブリクエストは消失することがなく、前記ジョブリクエストに対しても、前記画像出力制御部３Ａにより所定のジョブを実行させることができる。
【００３４】
以下、別の実施形態について説明する。上述の実施形態に加え、前記電源供給制御手段５に、前記スリープ動作モード時に前記操作制御部４Ａによる前記カラー液晶表示部２０の表示をオンにする表示切替手段を備えた構成としてもよい。
【００３５】
前記表示切替手段は、例えば、前記特殊モード設定キー群２５における初期設定キー２５ｂの操作により開始される初期設定モードで、前記スリープ動作モード時に前記操作制御部４Ａによる前記カラー液晶表示部２０の表示をオンにするか、オフにするかを予め管理者に設定されるもので、当該表示切替手段がオフに設定されているときには、上述の実施形態のように、前記スリープ動作モード切替手段３１が、前記スリープ動作モード時に、前記操作制御部４Ａによる前記カラー液晶表示部２０への所定情報の表示をオフにし、また、前記スリープ動作モード時に、前記情報処理装置８によりリクエストされたジョブが終了すると、前記画像出力制御部３Ａへの電源供給を停止することで前記スリープモードに戻す。一方、当該表示切替手段がオンに設定されているときには、前記スリープ動作モード時に、前記操作制御部４Ａによる前記カラー液晶表示部２０への所定情報の表示をオンにし、また、前記スリープ動作モード時に、前記情報処理装置８によりリクエストされたジョブが終了すると、前記各制御ブロックへの電源を供給することでレディーモードにする。
【００３６】
つまり、使用状況により、適宜、低消費電力状態にするか、更に、それよりも低い低消費電力状態にするかを設定することができる。
【００３７】
尚、上述した実施形態は、本発明の一例に過ぎず、本発明の作用効果を奏する範囲において各ブロックの具体的構成等を適宜変更設計できることは言うまでもない。
【００３８】
上述した実施形態では、本発明の電源供給装置をデジタル複写機に適用した例について説明したが、これに限定されるものではなく、スキャナ装置を備えたファクシミリ装置、プリンタやファクシミリ機能が搭載された複合機などにも適用可能である。
【図面の簡単な説明】
【００３９】
【図１】制御ブロックへの電源供給制御にかかる機能ブロック構成の説明図
【図２】ＬＡＮを介して接続されたデジタル複写機と情報処理装置の説明図
【図３】デジタル複写機の概観説明図
【図４】操作パネル部の説明図
【図５】デジタル複写機の制御部における機能ブロック構成の説明図
【図６】制御ブロックへの電源供給制御にかかる動作を説明するためのフローチャート
【符号の説明】
【００４０】
１：デジタル複写機
５：電源供給制御手段
８：情報処理装置
９：ＬＡＮ
３０：スリープモード切替手段
３１：スリープ動作モード切替手段
３２：入力操作検出手段
【図１】
2007025877.tif 000003
【図３】
2007025877.tif 000004
【図４】
2007025877.tif 000005
【図５】
2007025877.tif 000006
【図６】
2007025877.tif 000007
【図２】
2007025877.tif 000008